(57)【要約】【課題】操作者が、表示部の表示画面を別の表示画面に切り替えた後であっても、切替後の表示画面で、切替前の表示画面の表示内容を確認できるようにする。【解決手段】複数の表示画面を表示する表示部と、ガイダンス画面と動作条件入力画面とを含む各表示画面の画像データを記憶する表示画像データ記憶部と、表示部の表示画面を切り替える画面切替指示を操作者から受け付ける表示画面切替キーと、各表示画面を表示部に表示させる表示制御部とを備え、表示制御部は、ガイダンス第１画面Ｂ乃至第ｎ画面Ｄを表示部に表示させているときに、動作条件入力画面に切り替える旨の画面切替指示が表示画面切替キーに受け付けられると、当該画面切替指示が示す動作条件入力画面Ｅを表示部に表示させ、当該動作条件入力画面Ｅの表示領域の一部に、それまで表示部に表示させていたガイダンス第１画面Ｂ乃至第ｎ画面Ｄのいずれかを縮小して表示させる。【選択図】図５
2009037340.tif 000002
【特許請求の範囲】
【請求項１】
複数の表示画面を表示する表示手段と、
前記表示手段に表示される、操作者に対する操作案内を表示する操作案内画面と、操作者から動作条件の入力指示を受け付ける動作条件入力画面とを含む各表示画面の画像データを記憶する表示画像データ記憶手段と、
前記表示手段に表示されている表示画面を切り替える画面切替指示を操作者から受け付ける画面切替指示受付手段と、
前記表示画像データ記憶手段に記憶されている各表示画面の画像データを読み出して、各表示画面を前記表示手段に表示させる表示制御手段とを備え、
前記表示制御手段は、前記操作案内画面を前記表示手段に表示させているときに、前記動作条件入力画面に切り替える旨の画面切替指示が前記切替指示受付手段に受け付けられた場合、当該画面切替指示が示す動作条件入力画面の画像データを前記表示画像データ記憶手段から読み出して当該動作条件入力画面を前記表示手段に表示させると共に、当該動作条件入力画面の表示領域の一部に、それまで前記表示手段に表示させていた前記操作案内画面を縮小して表示させる表示制御装置。
【請求項２】
前記操作案内画面は、その表示領域の一部が、操作者に対して動作条件の入力操作の案内を表示する入力案内表示領域とされ、
前記切替指示受付手段は、前記表示手段に表示中の操作案内画面の入力案内表示領域で案内する動作条件の入力が可能な動作条件入力画面への画面切替指示のみを受け付ける請求項１に記載の表示制御装置。
【請求項３】
前記切替指示受付手段は、前記入力案内表示領域への操作者の接触に対応して、タッチパネル機能により、当該入力案内表示領域で案内する動作条件の入力が可能な動作条件入力画面への画面切替指示を受け付ける請求項２に記載の表示制御装置。
【請求項４】
前記表示制御手段により前記表示手段の表示画面が前記操作案内画面から前記動作条件入力画面に切り替えられた場合に、当該動作条件入力画面で設定された動作条件を記憶する動作条件記憶手段を備え、
前記切替指示受付手段は、前記表示手段における前記操作案内画面と前記動作条件入力画面との間における双方向の画面切替指示を受け付け、
前記表示制御手段は、前記動作条件入力画面から前記操作案内画面への画面切替指示が前記切替指示受付手段に受け付けられた場合には、それまで前記表示手段に表示されていた動作条件入力画面に対応付けられた操作案内画面に表示画面を切り替え、
前記動作条件記憶手段は、前記表示制御手段により前記表示手段の表示画面が前記動作条件入力画面から前記操作案内画面に切り替えられた場合であっても、当該動作条件入力画面で入力された動作条件の記憶を保持する請求項１乃至請求項３のいずれかに記載の表示制御装置。
【請求項５】
請求項１乃至請求項４のいずれかに記載の表示制御装置を備えた画像形成装置。
【発明の詳細な説明】
【技術分野】
【０００１】
本発明は、表示制御装置及び画像形成装置に関し、ＬＣＤ（Liquid Crystal Display）等からなる表示部の表示制御に関する。
【背景技術】
【０００２】
従来から、コピー機や、コピー機能、ファクシミリ機能、プリンタ機能等を兼ね備えた複合機等の画像形成装置では、多機能な動作の実行が可能であるため、実行可能な各動作についての操作方法を操作者に案内するために、操作者の必要に応じた各操作案内画面を順次切り替えて、ＬＣＤ等の表示部に表示する。このような画像形成装置において、操作者が、所望の動作を画像形成装置に行わせるには、表示部の様々な表示画面を切り替えて、当該所望の動作に関する操作方法を把握しなければならない。そのため、切替前後の表示画面を切り替える操作を簡単にした表示入力操作装置が提案されている（下記特許文献１参照）。
【特許文献１】特許第３７６１３０６号
【発明の開示】
【発明が解決しようとする課題】
【０００３】
しかし、上記従来の画像形成装置は、切替前後の表示画面を切り替える操作は容易であるが、表示画面を別の表示画面に切り替えた後は、当該切替後の表示画面において、操作者が、切替前の表示画面で表示していた内容を確認することができない。そのため、上記従来の画像形成装置では、操作者が切替前の表示画面の内容を確認したい場合には、表示部を切替前の表示画面に切り替えて、切替前の表示画面の内容を確認しなければならないという問題があった。
【０００４】
本発明は、上記問題点を解消するためになされたものであり、操作者が、表示部の表示画面を別の表示画面に切り替えた後であっても、切替後の表示画面において、切替前の表示画面での表示内容を確認できるようにすることを目的とする。
【課題を解決するための手段】
【０００５】
本発明の請求項１に記載の発明は、複数の表示画面を表示する表示手段と、
前記表示手段に表示される、操作者に対する操作案内を表示する操作案内画面と、操作者から動作条件の入力指示を受け付ける動作条件入力画面とを含む各表示画面の画像データを記憶する表示画像データ記憶手段と、
前記表示手段に表示されている表示画面を切り替える画面切替指示を操作者から受け付ける画面切替指示受付手段と、
前記表示画像データ記憶手段に記憶されている各表示画面の画像データを読み出して、各表示画面を前記表示手段に表示させる表示制御手段とを備え、
前記表示制御手段は、前記操作案内画面を前記表示手段に表示させているときに、前記動作条件入力画面に切り替える旨の画面切替指示が前記切替指示受付手段に受け付けられた場合、当該画面切替指示が示す動作条件入力画面の画像データを前記表示画像データ記憶手段から読み出して当該動作条件入力画面を前記表示手段に表示させると共に、当該動作条件入力画面の表示領域の一部に、それまで前記表示手段に表示させていた前記操作案内画面を縮小して表示させる表示制御装置である。
【０００６】
この構成によれば、表示制御手段が、操作案内画面を表示手段に表示させているときに、動作条件入力画面に切り替える旨の画面切替指示が切替指示受付手段に受け付けられると、当該画面切替指示が示す動作条件入力画面を表示手段に表示させると共に、当該動作条件入力画面の表示領域の一部に、それまで表示手段に表示させていた操作案内画面を縮小して表示させるので、操作者は、表示画面を操作案内画面から動作条件入力画面に切り替えた後も、当該切替後の動作条件入力画面において、切替前の操作案内画面で表示していた内容を確認することができる。
【０００７】
また、請求項２に記載の発明は、請求項１に記載の表示制御装置であって、前記操作案内画面は、その表示領域の一部が、操作者に対して動作条件の入力操作の案内を表示する入力案内表示領域とされ、
前記切替指示受付手段は、前記表示手段に表示中の操作案内画面の入力案内表示領域で案内する動作条件の入力が可能な動作条件入力画面への画面切替指示のみを受け付けるものである。
【０００８】
この構成によれば、切替指示受付手段が、表示手段に表示中の操作案内画面における入力案内表示領域で案内する動作条件の入力が可能な動作条件入力画面への画面切替指示のみを受け付け、表示制御手段は、表示手段の表示画面を当該動作条件入力画面にのみ切り替えるので、操作者は、簡単な操作で、表示中の入力案内表示領域で案内する動作条件の入力が可能な動作条件入力画面に、確実に表示画面を切り替えることができる。
【０００９】
また、請求項３に記載の発明は、請求項２に記載の表示制御装置であって、前記切替指示受付手段は、前記入力案内表示領域への操作者の接触に対応して、タッチパネル機能により、当該入力案内表示領域で案内する動作条件の入力が可能な動作条件入力画面への画面切替指示を受け付けるものである。
【００１０】
この構成によれば、操作者が表示中の入力案内表示領域に触れると、表示制御手段が、当該入力案内表示領域で案内する動作条件の入力が可能な動作条件入力画面に表示画面を切り替えるので、操作者は、更に簡単な操作で、表示中の入力案内表示領域で案内する動作条件の入力が可能な動作条件入力画面に、表示画面を切り替えることができる。
【００１１】
また、請求項４に記載の発明は、請求項１乃至請求項３のいずれかに記載の表示制御装置であって、前記表示制御手段により前記表示手段の表示画面が前記操作案内画面から前記動作条件入力画面に切り替えられた場合に、当該動作条件入力画面で設定された動作条件を記憶する動作条件記憶手段を備え、
前記切替指示受付手段は、前記表示手段における前記操作案内画面と前記動作条件入力画面との間における双方向の画面切替指示を受け付け、
前記表示制御手段は、前記動作条件入力画面から前記操作案内画面への画面切替指示が前記切替指示受付手段に受け付けられた場合には、それまで前記表示手段に表示されていた動作条件入力画面に対応付けられた操作案内画面に表示画面を切り替え、
前記動作条件記憶手段は、前記表示制御手段により前記表示手段の表示画面が前記動作条件入力画面から前記操作案内画面に切り替えられた場合であっても、当該動作条件入力画面で入力された動作条件の記憶を保持するものである。
【００１２】
この構成によれば、操作者が、操作案内画面から切り替えた動作条件入力画面で動作条件を入力した後、表示画面を操作案内画面に戻しても、既に動作条件入力画面で入力した動作条件は、動作条件記憶手段に保持された状態となるので、操作者は、操作案内画面と動作条件入力画面との間で表示画面を交互に切り替えて、必要な操作案内を確認しながら動作条件を入力することが可能になる。また、操作者は、簡単な操作で、動作条件を入力していた動作条件入力画面から、当該動作条件入力画面に対応付けられた操作案内画面に切り替えて、当該操作案内画面を視認できる。
【００１３】
また、請求項５に記載の発明は、請求項１乃至請求項４のいずれかに記載の表示制御装置を備えた画像形成装置である。
【００１４】
この構成によれば、請求項１乃至請求項４のいずれかに記載の発明によって得られる作用を奏することができる。
【発明の効果】
【００１５】
請求項１に記載の発明によれば、操作者は、表示画面を操作案内画面から動作条件入力画面に切り替えた後も、当該切替後の動作条件入力画面において、切替前の操作案内画面で表示していた内容を確認することができる。
【００１６】
請求項２に記載の発明によれば、操作者は、簡単な操作で、表示中の入力案内表示領域で案内する動作条件の入力が可能な動作条件入力画面に、表示画面を確実に切り替えることができる。
【００１７】
請求項３に記載の発明によれば、操作者は、更に簡単な操作で、表示中の入力案内表示領域で案内する動作条件の入力が可能な動作条件入力画面に、表示画面を切り替えることができる。
【００１８】
請求項４に記載の発明によれば、操作者は、操作案内画面と動作条件入力画面との間で表示画面を交互に切り替えて、必要な操作案内を確認しながら動作条件を入力することが可能になる。また、操作者は、簡単な操作で、動作条件を入力していた動作条件入力画面から、当該動作条件入力画面に対応付けられた操作案内画面に切り替えて、当該操作案内画面を視認できる。
【００１９】
請求項５に記載の発明によれば、請求項１乃至請求項４のいずれかに記載の発明による効果を奏することができる。
【発明を実施するための最良の形態】
【００２０】
以下、本発明に係る表示制御装置及びこれを備えた画像形成装置について説明する。図１は、本発明の一実施形態に係る画像形成装置の一例である複合機の構成を示す側面概略図である。複合機１は、本体部２００と、本体部２００の用紙搬出側、例えば左側に配設された用紙後処理部３００と、ユーザが種々の操作指令等を入力するための操作部４００と、本体部２００の上部に配設された原稿読み取り部５００と、原稿読み取り部５００の上部に配設された原稿給送部６００とから構成される。
【００２１】
操作部４００は、ＬＣＤ（Liquid Crystal Display）等からなる表示部４１０と、操作者から操作指示が入力される操作キー部４３０を備える。操作キー部４３０は、スタートキー４３２、テンキー４３３、機能切替キー４３４及びガイダンスキー４３７等を備える。ガイダンスキー４３７は、表示部４１０の表示画面を、操作者に対する操作方法の説明を表示するガイダンス画面に切り替える旨の指示の入力を操作者から受け付ける。リセットキー４３８は、操作者により入力された動作条件をリセットして、表示部４１０の表示画面を初期画面に戻す指示を操作者から受け付けるキーである。
【００２２】
スタートキー４３２は、コピー動作やスキャン動作等の各動作を開始させる指示を操作者から受け付ける。テンキー４３３は、コピー部数を指定する指示等を操作者から受け付
けるキーである。機能切替キー４３４は、コピー機能、送信機能（スキャナ機能、ファクシミリ機能等）、ボックス機能（後述するＨＤＤ７４内に設けられている操作者毎の記憶領域（メールボックス）に記憶されているデータを読み出してプリントする機能）等を相互に切り替える機能切替指示を操作者から受け付けるキーである。
【００２３】
表示部（表示手段）４１０は、ＬＣＤ（Liquid Crystal Display）等からなり、タッチパネルを組み合わせたタッチパネルユニット等を備えている。表示部４１０は、種々の操作画面を表示すると共に、操作者が表示面（表示されている操作キー）をタッチすることで種々の機能の実行指令を入力することが可能とされている。
【００２４】
原稿給送部６０は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２５】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２６】
感光体ドラム２０４は、矢印方向に回転しながら帯電装置（図示省略）によって一様に帯電される。露光装置２０６は、原稿読み取り部５００において読み取られた原稿の画像に応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００２７】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２８】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２９】
図２は、図１に示す複合機１の制御ブロック図である。複合機１は、スキャナ部１１、画像処理部２１、プリンタ部３１、操作部４００、制御部５１、ネットワークＩ／Ｆ（インターフェース）部７１、及びＨＤＤ（ハードディスクドライブ）７４を備える。
【００３０】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像を画像処理部２１へ出力する。
【００３１】
画像処理部２１は、補正部２２、画像加工部２３及び画像メモリ２４を含む。画像処理部２１は、読み取られた画像を必要に応じて補正部２２及び画像加工部２３により処理し、処理された画像を画像メモリ２４に記憶したり、プリンタ部３１へ出力する。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００３２】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００３３】
ネットワークＩ／Ｆ部７１は、ネットワークインタフェース（10/100Base-TX）等を用い、ＬＡＮを介して外部装置との間での種々のデータの送受信を制御する。ＨＤＤ７４は、スキャナ部１１によって読み取られた画像及び当該画像に設定されている出力形式等を記憶する。
【００３４】
操作部４００は、図１に示したように表示部４１０、操作キー部４３０を備える。表示部４１０は、タッチパネル機能により各種指示の入力を受け付ける複数のキーを表示する。例えば、表示部４１０には、表示画面切替キー４１１及び動作条件入力キー４１２が表示される。
【００３５】
表示画面切替キー４１１は、表示部４１０の画面に表示され、操作者によってタッチされると、当該タッチされた画像が示す表示画面への表示切替指示の入力を受け付けるものである。表示画面切替キー４１１としては、図５を用いて後述する頁送りキー４１３，頁戻しキー４１４，及び動作条件入力画面切替キー４１５が備えられる。
【００３６】
動作条件入力キー４１２は、表示制御部５２２が表示部４１０の表示画面を動作条件入力画面に切り替えたときに、当該動作条件入力画面に表示される。動作条件入力キー４１２は、動作条件入力画面において、動作条件の入力を操作者から受け付けるために表示される各種のキーであり、頁番号付加のために頁番号を入力するキー、印刷濃度を設定するキー、印刷倍率を設定するキー、印刷に用いる用紙サイズを設定する等の各種キーである。
【００３７】
操作キー部４３０には、図１に示した機能切替キー４３４、スタートキー４３２、テンキー４３３、ガイダンスキー４３７、リセットキー４３８等が設けられている。本実施形態では、機能切替キー４３４、スタートキー４３２、テンキー４３３、ガイダンスキー４３７、リセットキー４３８等は、タッチセンサを利用したキーではなく、機械的に構成された例を示す（これらのキーを機械的に構成されるキーに限定する趣旨ではない）。
【００３８】
制御部５１のＣＰＵ５２は、上記表示部４１０及び操作部４００の各キーから、操作者によって入力された指示を受け付ける。
【００３９】
制御部５１は、ＣＰＵ５２と、表示画像データ記憶部５３と、動作条件記憶部５５とを備える。ＣＰＵ５２は、複合機１の動作制御を司るものである。表示画像データ記憶部（表示画像データ記憶手段）５３は、操作案内画面及び動作条件入力画面を含む各種表示画面の表示に必要な表示画像データ等を記憶している。操作案内画面は、操作者に対する操作案内を表示する画面である。動作条件入力画面は、操作者から動作条件の入力指示を受け付ける画面である。
【００４０】
動作条件記憶部（動作条件記憶手段）５５は、操作部４００の操作により操作者から入力された複合機１の各種動作条件（入力された頁番号の数値、印刷濃度、印刷倍率設定、用紙サイズ設定等）を記憶する。この動作条件記憶部５５に記憶されている動作条件に基づいて、動作制御部５２１が、スキャナ部１１による原稿読取動作、プリンタ部３１による画像形成動作（印刷動作）等を行わせる。
【００４１】
ＣＰＵ５２は、動作制御部５２１及び表示制御部５２２を備える。動作制御部５２１は、複合機１の各部（スキャナ部１１，画像処理部２１、プリンタ部３１等）の動作制御を司る。
【００４２】
表示制御部（表示制御手段）５２２は、表示部４１０の表示動作を制御する。表示制御部５２２は、表示画像データ記憶部５３から操作案内画面及び動作条件入力画面の表示に必要な画像データを読み出して表示部４１０に表示させる。また、表示制御部５２２は、操作者による表示画面切替キー４１１の操作で、当該表示画面切替キー４１１が表示画面切替指示を受け付けたときに、表示部４１０の表示画面を、当該表示画面切替指示が示す表示画面に切り替える。さらに、表示制御部５２２は、表示部４１０に上記動作条件入力画面を表示させる場合、当該動作条件入力画面の表示領域の一部に、それまで表示部４１０に表示させていた操作案内画面を縮小して表示させる。
【００４３】
なお、本発明の一実施形態に係る表示装置は、上記操作部４００と、上記制御部５１の所要各部により構成される。
【００４４】
次に、複合機１による表示部４１０に表示画面を表示する際の処理について説明する。図３は表示部４１０に表示画面を表示する際の処理を示すフローチャート、図４はガイダンス選択画面の例を示す図、図５は表示部４１０における表示画面の遷移を示す図、図６は動作条件入力画面の一例を示す図である。
【００４５】
表示制御部５２２が、例えば複合機１の主電源投入後に表示する初期画面（図略）を表示部４１０に表示させているときに、操作者によって操作部４００のガイダンスキー４３７が押下され、ガイダンス選択画面（操作案内画面）を表示部４１０に表示させる旨の指示がガイダンスキー４３７に受け付けられると（Ｓ１でＹＥＳ）、表示制御部５２２は、表示画像データ記憶部５３から、ガイダンス選択画面の表示画像データを読み出し、例えば図４に示すようなガイダンス選択画面Ａを表示部４１０に表示させる（Ｓ２）。
【００４６】
上記ガイダンス選択画面Ａには、複合機１で動作可能な各種機能に対応付けられたそれぞれのガイダンス選択キーＡ１〜Ａ１０が表示される。当該複数のガイダンス選択キーＡ１〜Ａ１０のいずれかが操作者によって押下されると（Ｓ３でＹＥＳ）、当該押下されたガイダンス選択キーは、当該ガイダンス選択キーに対応付けられた動作の操作方法を案内するガイダンス画面（操作案内画面）を、表示部４１０に表示させる旨の指示を操作者から受け付ける。
【００４７】
表示制御部５２２は、上記ガイダンス選択キーの押下により操作者に選択された動作に対応するガイダンス画面の表示画像データを表示画像データ記憶部５３から読み出し、当該ガイダンス画面を表示部４１０に表示させる（Ｓ４）。ガイダンス画面は、複合機１で動作可能な各機能及びその操作に対応付けて各種用意され、各ガイダンス画面は第１画面から第ｎ画面までの複数画面で構成されている。例えば、図４に示す「頁付」の動作を示すガイダンス選択キーＡ９が操作者により押下されると、当該ガイダンス選択キーＡ９は、「頁付」の動作に対応するガイダンス画面を表示させる旨の指示を受け付ける。表示制御部５２２は、上記ガイダンス画面を表示させる旨の指示があると、当該ガイダンス画面を構成する複数の画面（ガイダンス第１画面からガイダンス第ｎ画面）のうち、最初に第１画面を表示部４１０に表示させ、操作者からの表示画面切替指示に応じて、当該第１画面から第ｎ画面までを順次切り替えて表示部４１０に表示させる。
【００４８】
図５に示すように、ガイダンス第１画面Ｂ，…ガイダンス第ｎ−１画面Ｃ，ガイダンス第ｎ画面Ｄの表示画像データは、当該第１画面Ｂから第ｎ画面Ｄまでの各画面が、各画面の表示領域の一部領域において、当該画面で案内する動作の操作方法（当該動作に対応する表示画面におけるボタン操作方法等）を、絵や図でわかりやすく表示するように構成されている。このため、表示制御部５２２が、第１画面Ｂから第ｎ画面Ｄまでの各画面を表示部４１０に表示させると、表示部４１０に表示される各画面の一部領域Ｂ１，Ｃ２に、各画面で案内する動作の操作方法が図示される。さらに、ガイダンス画面を構成する各画面には、表示画面切替キー４１１として、頁送りキー４１３及び頁戻しキー４１４が表示される。
【００４９】
また、ガイダンス画面をなす第１画面Ｂから第ｎ画面Ｄのうち、動作条件の入力方法（例えば、具体的な数値入力方法）の説明を表示する画面では、その画面の一部領域に、当該動作条件の入力操作方法が絵や図でわかりやすく図示される。例えば、図５に示すように、ガイダンス第ｎ−１画面Ｃ，第ｎ画面Ｄには、当該動作条件の入力操作方法が図示される一部領域である入力案内表示領域Ｃ１，Ｄ１，Ｄ２が表示される。この入力案内表示領域Ｃ１，Ｅ１，又はＥ２に操作者が触れた場合、当該入力案内表示領域Ｃ１，Ｄ１，Ｄ２は、タッチパネル機能により表示画面切替キー４１１として機能し、入力案内表示領域Ｃ１，Ｄ１，又はＤ２で案内している動作条件の入力が可能なそれぞれの動作条件入力画面に表示画面を切り替える画面切替指示を受け付ける。なお、当該ガイダンス第ｎ−１画面Ｃは、動作条件の入力方法（具体的な数値入力方法等）とは異なる操作方法を示す一部領域Ｃ２も表示された例を示している。
【００５０】
例えば、上記ガイダンス第１画面Ｂ等の表示時に、頁送りキー４１３，頁戻しキー４１４又は動作条件入力画面切替キー４１５のいずれかが操作者によって押下されると（Ｓ５でＹＥＳ）、表示制御部５２２は、押下されたキーの如何に応じて、表示部４１０に表示させる表示画面を切り替える（Ｓ６乃至Ｓ９）。
【００５１】
操作者によって頁戻しキー４１４が押下され、この時点で表示部４１０に表示されている画面の前画面を表示させる旨の指示が頁戻しキー４１４に受け付けられると（Ｓ６で「頁戻しキー」）、表示制御部５２２は、当該前画面を表示部４１０に表示させる（Ｓ８）。例えば、表示制御部５２２は、表示部４１０に、ガイダンス第ｎ画面Ｄを表示させているときに、操作者によって頁戻しキー４１４が押下されると、第ｎ−１画面Ｃを表示部４１０に表示させる。また、表示制御部５２２は、表示部４１０に、ガイダンス第１画面Ｂを表示させているときに、操作者によって頁戻しキー４１４が押下されると、ガイダンス選択画面Ａを表示部４１０に表示させる（この場合は、処理はＳ２に戻る）。
【００５２】
また、操作者によって頁送りキー４１３が押下され、この時点で表示部４１０に表示されている画面の次画面を表示させる旨の指示が頁送りキー４１３に受け付けられると（Ｓ６で「頁送りキー」）、表示制御部５２２は、当該次画面を表示部４１０に表示させる（Ｓ７）。例えば、表示制御部５２２は、表示部４１０に、ガイダンス第ｎ−１画面Ｃを表示させているときに、操作者によって頁送りキー４１３が押下されると、第ｎ画面Ｄを表示部４１０に表示させる。
【００５３】
また、入力案内表示領域を有する画面が表示部４１０に表示されているときに、操作者が入力案内表示領域Ｃ１等に触れた場合（すなわち、入力案内表示領域Ｃ１等が動作条件入力画面切替キー４１５として機能し、当該動作条件入力画面切替キー４１５が操作者によって押下された場合）は、この時点で表示部４１０に表示されている当該入力案内表示領域で案内する動作についての動作条件の入力が可能とされた動作条件入力画面への表示画面切替指示が、動作条件入力画面切替キー４１５に受け付けられる。このように、動作条件入力画面切替キー４１５に動作条件入力画面への表示画面切替指示が受け付けられた場合は（Ｓ６で「動作条件入力画面切替キー」）、表示制御部５２２は、当該入力案内表示領域で案内する動作についての動作条件の入力が可能な動作条件入力画面を表示部４１０に表示させる（Ｓ９）。
【００５４】
すなわち、上記動作条件入力画面切替キー４１５は、操作者が入力案内表示領域に触れた時点で表示部４１０に表示されている入力案内表示領域（入力案内表示領域が複数表示されている場合は、操作者によって押下された方の入力案内表示領域）に対応付けられている動作についての動作条件の入力が可能な動作条件入力画面への表示画面切替指示を受け付ける。つまり、操作者が動作条件入力画面切替キー４１５を押下した時に、表示制御部５２２が、当該動作条件入力画面切替キー４１５に対応付けられている動作条件入力画面に表示部４１０の表示画面を遷移させることで、表示制御部５２２は、ガイダンス第１画面Ｂから第ｎ画面Ｄによるガイダンスの進行の程度に応じて、遷移させる動作条件入力画面を異ならせる。これにより、操作者は、表示部４１０の表示画面に、動作条件の入力方法（具体的な数値入力方法等）が図示されている時に、当該図示部分を押下すれば、表示部４１０の表示画面を、当該押下時点で表示中の動作条件の入力が可能な動作条件入力画面に簡単に切り替えることができる。
【００５５】
さらに、表示制御部５２２は、この動作条件入力画面を表示部４１０に表示させるとき、当該動作条件入力画面を表示する一部領域に、それまで表示部４１０に表示させていた画面（ガイダンス第１画面Ｂ乃至第ｎ画面Ｄのいずれかであって、当該動作条件入力画面に対応付けられている遷移前の画面）を縮小して表示させる（Ｓ１０）。
【００５６】
例えば、図５に示すように、ガイダンス第ｎ−１画面Ｃが表示部４１０に表示されており、当該第ｎ−１画面Ｃの入力案内表示領域Ｃ１に操作者が触れた場合、表示制御部５２２は、図５及び図６に示すような動作条件入力画面Ｅ（動作条件入力画面Ｅは入力案内表示領域Ｃ１に対応付けられている）を表示部４１０に表示させ、その表示領域の一部領域Ｅ１に、第ｎ−１画面Ｃを縮小して表示する。
【００５７】
上記動作条件入力画面Ｅへの表示切替後、当該動作条件入力画面Ｅにおいて、その表示領域中に表示される数値入力キーｅ１、頁番号種類選択キーｅ２等を操作者が操作することで動作条件が入力されると（Ｓ１１でＹＥＳ）、動作条件記憶部５５が、当該入力された動作条件を記憶する（Ｓ１４）。
【００５８】
また、動作条件入力画面Ｅの表示中に、表示画面切替キー４１１（ＯＫボタンｅ３，キャンセルボタンｅ４）が操作者によって押下され、元のガイダンス画面に表示画面を切り替える画面切替指示が表示画面切替キー４１１に操作者から受け付けられると、表示制御部５２２は、表示部４１０に、当該動作条件入力画面Ｅが表示される直前に表示部４１０に表示させていた元のガイダンス画面、すなわち第１画面Ｂ乃至第ｎ画面Ｄのいずれかを表示させる（Ｓ１２でＹＥＳ，Ｓ１３）。
【００５９】
例えば、操作者が動作条件入力画面Ｅの数値入力キーｅ１、頁番号種類選択キーｅ２等により頁番号やその表示形態等の動作条件を入力した後、ＯＫボタンｅ３を押下すると、操作者により入力された頁番号の数値及び表示形態等が動作条件記憶部５５に記憶されると共に、表示制御部５２２は、表示部４１０の表示画面を、当該動作条件入力画面Ｅに対応付けられている入力案内表示領域Ｃ１を有するガイダンス第ｎ−１画面Ｃに切り替える。この場合、ＯＫボタンｅ３が表示画面切替キー４１１として機能する。
【００６０】
また、動作条件入力画面Ｅにおいて、キャンセルボタンｅ４が操作者により押下された場合は、動作条件記憶部５５は、操作者により数値入力キーｅ１、頁番号種類選択キーｅ２等の操作で入力された頁番号やその表示形態等の動作条件を記憶せず、表示制御部５２２が、表示部４１０の表示画面を、当該動作条件入力画面Ｅに対応付けられている入力案内表示領域Ｃ１を有するガイダンス第ｎ−１画面Ｃに切り替える。この場合、キャンセルボタンｅ４が表示画面切替キー４１１として機能する。
【００６１】
なお、表示部４１０でのガイダンス第１画面Ｂ乃至第ｎ画面Ｄのいずれかの表示中に、ガイダンスキー４３７又はリセットキー４３８が操作者により押下されると、この状況下ではガイダンスキー４３７又はリセットキー４３８は、ガイダンス画面への切替前に表示部４１０に表示していた表示画面に、表示部４１０の表示画面を切り替える画面切替指示を受け付け（Ｓ１５でＹＥＳ）、表示制御部５２２は、当該切替表示前に表示部４１０に表示していた表示画面、本実施形態では即ち初期画面を表示部４１０に表示させる（Ｓ１６）。
【００６２】
なお、本発明は上記実施の形態の構成に限られず種々の変形が可能である。例えば、上記実施形態では、図３に示すＳ６の処理において、操作者が入力案内表示領域に触れると、当該入力案内表示領域に対応付けられている動作についての動作条件の入力が可能な動作条件入力画面への表示画面切替指示が受け付けられ、入力案内表示領域がタッチパネル機能により動作条件入力画面切替キー４１５として機能するものとされているが、入力案内表示領域とは別個に動作条件入力画面切替キー４１５が設けられた構成であってもよい。但し、この場合、表示制御部５２２は、別個に設けられた動作条件入力画面切替キー４１５が操作者によって押下された時点で表示部４１０に表示されている入力案内表示領域に対応付けられている動作条件入力画面に、表示部４１０の表示画面を切り替える。
【００６３】
なお、上記図１乃至図６に示した実施形態に係る構成及び処理は、本発明に係る表示制御装置及び画像形成装置の構成及び処理の単なる一例に過ぎず、本発明に係る表示制御装置及び画像形成装置の構成及び処理を上記に示した内容に限定するものではない。
【００６４】
また、上記各実施形態では、本発明に係る画像形成装置を複合機１として説明したが、本発明に係る画像形成装置は複合機に限定されず、コピー機、ファクシミリ装置、プリンタ等でも構わない。
【図面の簡単な説明】
【００６５】
【図１】本発明の一実施形態に係る画像形成装置の一例である複合機の構成を示す側面概略図である。
【図２】図１に示す複合機の制御ブロック図である。
【図３】表示部に表示画面を表示する際の処理を示すフローチャートである。
【図４】ガイダンス選択画面の例を示す図である。
【図５】表示部における表示画面の遷移を示す図である。
【図６】動作条件入力画面の一例を示す図である。
【符号の説明】
【００６６】
１        複合機
５１      制御部
５２      ＣＰＵ
５２２    表示制御部
５３      表示画像データ記憶部
５５      動作条件記憶部
４００    操作部
４１０    表示部
４１１    表示画面切替キー
４１２    動作条件入力キー
４１３    頁送りキー
４１４    頁戻しキー
４１５    動作条件入力画面切替キー
４３０    操作キー部
４３７    ガイダンスキー
Ａ        ガイダンス選択画面
Ａ１〜Ａ１０      ガイダンス選択キー
Ｂ        ガイダンス第１画面
Ｂ１      一部領域
Ｃ        ガイダンス第ｎ−１画面
Ｃ１      入力案内表示領域
Ｃ２      一部領域
Ｄ        ガイダンス第ｎ画面
Ｅ        動作条件入力画面
Ｅ１      一部領域
ｅ１      数値入力キー
ｅ２      頁番号種類選択キー
ｅ３      ＯＫボタン
ｅ４      キャンセルボタン
【図１】
2009037340.tif 000003
【図２】
2009037340.tif 000004
【図３】
2009037340.tif 000005
【図５】
2009037340.tif 000006
【図６】
2009037340.tif 000007
【図４】
2009037340.tif 000008
【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
複数の表示画面を表示する表示手段と、
前記表示手段に表示される、操作者に対する操作案内を表示する操作案内画面と、操作者から動作条件の入力指示を受け付ける動作条件入力画面とを含む各表示画面の画像データを記憶する表示画像データ記憶手段と、
前記表示手段に表示されている表示画面を切り替える画面切替指示を操作者から受け付ける画面切替指示受付手段と、
前記表示画像データ記憶手段に記憶されている各表示画面の画像データを読み出して、各表示画面を前記表示手段に表示させる表示制御手段とを備え、
前記表示制御手段は、前記操作案内画面を前記表示手段に表示させているときに、前記動作条件入力画面に切り替える旨の画面切替指示が前記画面切替指示受付手段に受け付けられた場合、当該画面切替指示が示す動作条件入力画面の画像データを前記表示画像データ記憶手段から読み出して当該動作条件入力画面を前記表示手段に表示させると共に、当該動作条件入力画面の表示領域の一部に、それまで前記表示手段に表示させていた前記操作案内画面を縮小して表示させる表示制御装置。
【請求項２】
前記操作案内画面は、その表示領域の一部が、操作者に対して動作条件の入力操作の案内を表示する入力案内表示領域とされ、
前記画面切替指示受付手段は、前記表示手段に表示中の操作案内画面の入力案内表示領域で案内する動作条件の入力が可能な動作条件入力画面への画面切替指示のみを受け付ける請求項１に記載の表示制御装置。
【請求項３】
前記画面切替指示受付手段は、前記入力案内表示領域への操作者の接触に対応して、タッチパネル機能により、当該入力案内表示領域で案内する動作条件の入力が可能な動作条件入力画面への画面切替指示を受け付ける請求項２に記載の表示制御装置。
【請求項４】
前記表示制御手段により前記表示手段の表示画面が前記操作案内画面から前記動作条件入力画面に切り替えられた場合に、当該動作条件入力画面で設定された動作条件を記憶する動作条件記憶手段を備え、
前記画面切替指示受付手段は、前記表示手段における前記操作案内画面と前記動作条件入力画面との間における双方向の画面切替指示を受け付け、
前記表示制御手段は、前記動作条件入力画面から前記操作案内画面への画面切替指示が前記画面切替指示受付手段に受け付けられた場合には、それまで前記表示手段に表示されていた動作条件入力画面に対応付けられた操作案内画面に表示画面を切り替え、
前記動作条件記憶手段は、前記表示制御手段により前記表示手段の表示画面が前記動作条件入力画面から前記操作案内画面に切り替えられた場合であっても、当該動作条件入力画面で入力された動作条件の記憶を保持する請求項１乃至請求項３のいずれかに記載の表示制御装置。
【請求項５】
請求項１乃至請求項４のいずれかに記載の表示制御装置を備えた画像形成装置。
【手続補正２】
【補正対象書類名】明細書
【補正対象項目名】全文
【補正方法】変更
【補正の内容】
【発明の詳細な説明】
【技術分野】
【０００１】
本発明は、表示制御装置及び画像形成装置に関し、ＬＣＤ（Liquid Crystal Display）等からなる表示部の表示制御に関する。
【背景技術】
【０００２】
従来から、コピー機や、コピー機能、ファクシミリ機能、プリンタ機能等を兼ね備えた複合機等の画像形成装置では、多機能な動作の実行が可能であるため、実行可能な各動作についての操作方法を操作者に案内するために、操作者の必要に応じた各操作案内画面を順次切り替えて、ＬＣＤ等の表示部に表示する。このような画像形成装置において、操作者が、所望の動作を画像形成装置に行わせるには、表示部の様々な表示画面を切り替えて、当該所望の動作に関する操作方法を把握しなければならない。そのため、切替前後の表示画面を切り替える操作を簡単にした表示入力操作装置が提案されている（下記特許文献１参照）。
【特許文献１】特許第３７６１３０６号
【発明の開示】
【発明が解決しようとする課題】
【０００３】
しかし、上記従来の画像形成装置は、切替前後の表示画面を切り替える操作は容易であるが、表示画面を別の表示画面に切り替えた後は、当該切替後の表示画面において、操作者が、切替前の表示画面で表示していた内容を確認することができない。そのため、上記従来の画像形成装置では、操作者が切替前の表示画面の内容を確認したい場合には、表示部を切替前の表示画面に切り替えて、切替前の表示画面の内容を確認しなければならないという問題があった。
【０００４】
本発明は、上記問題点を解消するためになされたものであり、操作者が、表示部の表示画面を別の表示画面に切り替えた後であっても、切替後の表示画面において、切替前の表示画面での表示内容を確認できるようにすることを目的とする。
【課題を解決するための手段】
【０００５】
本発明の請求項１に記載の発明は、複数の表示画面を表示する表示手段と、
前記表示手段に表示される、操作者に対する操作案内を表示する操作案内画面と、操作者から動作条件の入力指示を受け付ける動作条件入力画面とを含む各表示画面の画像データを記憶する表示画像データ記憶手段と、
前記表示手段に表示されている表示画面を切り替える画面切替指示を操作者から受け付ける画面切替指示受付手段と、
前記表示画像データ記憶手段に記憶されている各表示画面の画像データを読み出して、各表示画面を前記表示手段に表示させる表示制御手段とを備え、
前記表示制御手段は、前記操作案内画面を前記表示手段に表示させているときに、前記動作条件入力画面に切り替える旨の画面切替指示が前記画面切替指示受付手段に受け付けられた場合、当該画面切替指示が示す動作条件入力画面の画像データを前記表示画像データ記憶手段から読み出して当該動作条件入力画面を前記表示手段に表示させると共に、当該動作条件入力画面の表示領域の一部に、それまで前記表示手段に表示させていた前記操作案内画面を縮小して表示させる表示制御装置である。
【０００６】
この構成によれば、表示制御手段が、操作案内画面を表示手段に表示させているときに、動作条件入力画面に切り替える旨の画面切替指示が画面切替指示受付手段に受け付けられると、当該画面切替指示が示す動作条件入力画面を表示手段に表示させると共に、当該動作条件入力画面の表示領域の一部に、それまで表示手段に表示させていた操作案内画面を縮小して表示させるので、操作者は、表示画面を操作案内画面から動作条件入力画面に切り替えた後も、当該切替後の動作条件入力画面において、切替前の操作案内画面で表示していた内容を確認することができる。
【０００７】
また、請求項２に記載の発明は、請求項１に記載の表示制御装置であって、前記操作案内画面は、その表示領域の一部が、操作者に対して動作条件の入力操作の案内を表示する入力案内表示領域とされ、
前記画面切替指示受付手段は、前記表示手段に表示中の操作案内画面の入力案内表示領域で案内する動作条件の入力が可能な動作条件入力画面への画面切替指示のみを受け付けるものである。
【０００８】
この構成によれば、画面切替指示受付手段が、表示手段に表示中の操作案内画面における入力案内表示領域で案内する動作条件の入力が可能な動作条件入力画面への画面切替指示のみを受け付け、表示制御手段は、表示手段の表示画面を当該動作条件入力画面にのみ切り替えるので、操作者は、簡単な操作で、表示中の入力案内表示領域で案内する動作条件の入力が可能な動作条件入力画面に、確実に表示画面を切り替えることができる。
【０００９】
また、請求項３に記載の発明は、請求項２に記載の表示制御装置であって、前記画面切替指示受付手段は、前記入力案内表示領域への操作者の接触に対応して、タッチパネル機能により、当該入力案内表示領域で案内する動作条件の入力が可能な動作条件入力画面への画面切替指示を受け付けるものである。
【００１０】
この構成によれば、操作者が表示中の入力案内表示領域に触れると、表示制御手段が、当該入力案内表示領域で案内する動作条件の入力が可能な動作条件入力画面に表示画面を切り替えるので、操作者は、更に簡単な操作で、表示中の入力案内表示領域で案内する動作条件の入力が可能な動作条件入力画面に、表示画面を切り替えることができる。
【００１１】
また、請求項４に記載の発明は、請求項１乃至請求項３のいずれかに記載の表示制御装置であって、前記表示制御手段により前記表示手段の表示画面が前記操作案内画面から前記動作条件入力画面に切り替えられた場合に、当該動作条件入力画面で設定された動作条件を記憶する動作条件記憶手段を備え、
前記画面切替指示受付手段は、前記表示手段における前記操作案内画面と前記動作条件入力画面との間における双方向の画面切替指示を受け付け、
前記表示制御手段は、前記動作条件入力画面から前記操作案内画面への画面切替指示が前記画面切替指示受付手段に受け付けられた場合には、それまで前記表示手段に表示されていた動作条件入力画面に対応付けられた操作案内画面に表示画面を切り替え、
前記動作条件記憶手段は、前記表示制御手段により前記表示手段の表示画面が前記動作条件入力画面から前記操作案内画面に切り替えられた場合であっても、当該動作条件入力画面で入力された動作条件の記憶を保持するものである。
【００１２】
この構成によれば、操作者が、操作案内画面から切り替えた動作条件入力画面で動作条件を入力した後、表示画面を操作案内画面に戻しても、既に動作条件入力画面で入力した動作条件は、動作条件記憶手段に保持された状態となるので、操作者は、操作案内画面と動作条件入力画面との間で表示画面を交互に切り替えて、必要な操作案内を確認しながら動作条件を入力することが可能になる。また、操作者は、簡単な操作で、動作条件を入力していた動作条件入力画面から、当該動作条件入力画面に対応付けられた操作案内画面に切り替えて、当該操作案内画面を視認できる。
【００１３】
また、請求項５に記載の発明は、請求項１乃至請求項４のいずれかに記載の表示制御装置を備えた画像形成装置である。
【００１４】
この構成によれば、請求項１乃至請求項４のいずれかに記載の発明によって得られる作用を奏することができる。
【発明の効果】
【００１５】
請求項１に記載の発明によれば、操作者は、表示画面を操作案内画面から動作条件入力画面に切り替えた後も、当該切替後の動作条件入力画面において、切替前の操作案内画面で表示していた内容を確認することができる。
【００１６】
請求項２に記載の発明によれば、操作者は、簡単な操作で、表示中の入力案内表示領域で案内する動作条件の入力が可能な動作条件入力画面に、表示画面を確実に切り替えることができる。
【００１７】
請求項３に記載の発明によれば、操作者は、更に簡単な操作で、表示中の入力案内表示領域で案内する動作条件の入力が可能な動作条件入力画面に、表示画面を切り替えることができる。
【００１８】
請求項４に記載の発明によれば、操作者は、操作案内画面と動作条件入力画面との間で表示画面を交互に切り替えて、必要な操作案内を確認しながら動作条件を入力することが可能になる。また、操作者は、簡単な操作で、動作条件を入力していた動作条件入力画面から、当該動作条件入力画面に対応付けられた操作案内画面に切り替えて、当該操作案内画面を視認できる。
【００１９】
請求項５に記載の発明によれば、請求項１乃至請求項４のいずれかに記載の発明による効果を奏することができる。
【発明を実施するための最良の形態】
【００２０】
以下、本発明に係る表示制御装置及びこれを備えた画像形成装置について説明する。図１は、本発明の一実施形態に係る画像形成装置の一例である複合機の構成を示す側面概略図である。複合機１は、本体部２００と、本体部２００の用紙搬出側、例えば左側に配設された用紙後処理部３００と、ユーザが種々の操作指令等を入力するための操作部４００と、本体部２００の上部に配設された原稿読み取り部５００と、原稿読み取り部５００の上部に配設された原稿給送部６００とから構成される。
【００２１】
操作部４００は、ＬＣＤ（Liquid Crystal Display）等からなる表示部４１０と、操作者から操作指示が入力される操作キー部４３０を備える。操作キー部４３０は、スタートキー４３２、テンキー４３３、機能切替キー４３４及びガイダンスキー４３７等を備える。ガイダンスキー４３７は、表示部４１０の表示画面を、操作者に対する操作方法の説明を表示するガイダンス画面に切り替える旨の指示の入力を操作者から受け付ける。リセットキー４３８は、操作者により入力された動作条件をリセットして、表示部４１０の表示画面を初期画面に戻す指示を操作者から受け付けるキーである。
【００２２】
スタートキー４３２は、コピー動作やスキャン動作等の各動作を開始させる指示を操作者から受け付ける。テンキー４３３は、コピー部数を指定する指示等を操作者から受け付けるキーである。機能切替キー４３４は、コピー機能、送信機能（スキャナ機能、ファクシミリ機能等）、ボックス機能（後述するＨＤＤ７４内に設けられている操作者毎の記憶領域（メールボックス）に記憶されているデータを読み出してプリントする機能）等を相互に切り替える機能切替指示を操作者から受け付けるキーである。
【００２３】
表示部（表示手段）４１０は、ＬＣＤ（Liquid Crystal Display）等からなり、タッチパネルを組み合わせたタッチパネルユニット等を備えている。表示部４１０は、種々の操作画面を表示すると共に、操作者が表示面（表示されている操作キー）をタッチすることで種々の機能の実行指令を入力することが可能とされている。
【００２４】
原稿給送部６０は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２５】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２６】
感光体ドラム２０４は、矢印方向に回転しながら帯電装置（図示省略）によって一様に帯電される。露光装置２０６は、原稿読み取り部５００において読み取られた原稿の画像に応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００２７】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２８】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２９】
図２は、図１に示す複合機１の制御ブロック図である。複合機１は、スキャナ部１１、画像処理部２１、プリンタ部３１、操作部４００、制御部５１、ネットワークＩ／Ｆ（インターフェース）部７１、及びＨＤＤ（ハードディスクドライブ）７４を備える。
【００３０】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像を画像処理部２１へ出力する。
【００３１】
画像処理部２１は、補正部２２、画像加工部２３及び画像メモリ２４を含む。画像処理部２１は、読み取られた画像を必要に応じて補正部２２及び画像加工部２３により処理し、処理された画像を画像メモリ２４に記憶したり、プリンタ部３１へ出力する。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００３２】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００３３】
ネットワークＩ／Ｆ部７１は、ネットワークインタフェース（10/100Base-TX）等を用い、ＬＡＮを介して外部装置との間での種々のデータの送受信を制御する。ＨＤＤ７４は、スキャナ部１１によって読み取られた画像及び当該画像に設定されている出力形式等を記憶する。
【００３４】
操作部４００は、図１に示したように表示部４１０、操作キー部４３０を備える。表示部４１０は、タッチパネル機能により各種指示の入力を受け付ける複数のキーを表示する。例えば、表示部４１０には、表示画面切替キー４１１及び動作条件入力キー４１２が表示される。
【００３５】
表示画面切替キー（画面切替指示受付手段の一例）４１１は、表示部４１０の画面に表示され、操作者によってタッチされると、当該タッチされた画像が示す表示画面への表示切替指示の入力を受け付けるものである。表示画面切替キー４１１としては、図５を用いて後述する頁送りキー４１３，頁戻しキー４１４，及び動作条件入力画面切替キー４１５が備えられる。
【００３６】
動作条件入力キー４１２は、表示制御部５２２が表示部４１０の表示画面を動作条件入力画面に切り替えたときに、当該動作条件入力画面に表示される。動作条件入力キー４１２は、動作条件入力画面において、動作条件の入力を操作者から受け付けるために表示される各種のキーであり、頁番号付加のために頁番号を入力するキー、印刷濃度を設定するキー、印刷倍率を設定するキー、印刷に用いる用紙サイズを設定する等の各種キーである。
【００３７】
操作キー部４３０には、図１に示した機能切替キー４３４、スタートキー４３２、テンキー４３３、ガイダンスキー４３７、リセットキー４３８等が設けられている。本実施形態では、機能切替キー４３４、スタートキー４３２、テンキー４３３、ガイダンスキー４３７、リセットキー４３８等は、タッチセンサを利用したキーではなく、機械的に構成された例を示す（これらのキーを機械的に構成されるキーに限定する趣旨ではない）。
【００３８】
制御部５１のＣＰＵ５２は、上記表示部４１０及び操作部４００の各キーから、操作者によって入力された指示を受け付ける。
【００３９】
制御部５１は、ＣＰＵ５２と、表示画像データ記憶部５３と、動作条件記憶部５５とを備える。ＣＰＵ５２は、複合機１の動作制御を司るものである。表示画像データ記憶部（表示画像データ記憶手段）５３は、操作案内画面及び動作条件入力画面を含む各種表示画面の表示に必要な表示画像データ等を記憶している。操作案内画面は、操作者に対する操作案内を表示する画面である。動作条件入力画面は、操作者から動作条件の入力指示を受け付ける画面である。
【００４０】
動作条件記憶部（動作条件記憶手段）５５は、操作部４００の操作により操作者から入力された複合機１の各種動作条件（入力された頁番号の数値、印刷濃度、印刷倍率設定、用紙サイズ設定等）を記憶する。この動作条件記憶部５５に記憶されている動作条件に基づいて、動作制御部５２１が、スキャナ部１１による原稿読取動作、プリンタ部３１による画像形成動作（印刷動作）等を行わせる。
【００４１】
ＣＰＵ５２は、動作制御部５２１及び表示制御部５２２を備える。動作制御部５２１は、複合機１の各部（スキャナ部１１，画像処理部２１、プリンタ部３１等）の動作制御を司る。
【００４２】
表示制御部（表示制御手段）５２２は、表示部４１０の表示動作を制御する。表示制御部５２２は、表示画像データ記憶部５３から操作案内画面及び動作条件入力画面の表示に必要な画像データを読み出して表示部４１０に表示させる。また、表示制御部５２２は、操作者による表示画面切替キー４１１の操作で、当該表示画面切替キー４１１が表示画面切替指示を受け付けたときに、表示部４１０の表示画面を、当該表示画面切替指示が示す表示画面に切り替える。さらに、表示制御部５２２は、表示部４１０に上記動作条件入力画面を表示させる場合、当該動作条件入力画面の表示領域の一部に、それまで表示部４１０に表示させていた操作案内画面を縮小して表示させる。
【００４３】
なお、本発明の一実施形態に係る表示装置は、上記操作部４００と、上記制御部５１の所要各部により構成される。
【００４４】
次に、複合機１による表示部４１０に表示画面を表示する際の処理について説明する。図３は表示部４１０に表示画面を表示する際の処理を示すフローチャート、図４はガイダンス選択画面の例を示す図、図５は表示部４１０における表示画面の遷移を示す図、図６は動作条件入力画面の一例を示す図である。
【００４５】
表示制御部５２２が、例えば複合機１の主電源投入後に表示する初期画面（図略）を表示部４１０に表示させているときに、操作者によって操作部４００のガイダンスキー４３７が押下され、ガイダンス選択画面（操作案内画面）を表示部４１０に表示させる旨の指示がガイダンスキー４３７に受け付けられると（Ｓ１でＹＥＳ）、表示制御部５２２は、表示画像データ記憶部５３から、ガイダンス選択画面の表示画像データを読み出し、例えば図４に示すようなガイダンス選択画面Ａを表示部４１０に表示させる（Ｓ２）。
【００４６】
上記ガイダンス選択画面Ａには、複合機１で動作可能な各種機能に対応付けられたそれぞれのガイダンス選択キーＡ１〜Ａ１０が表示される。当該複数のガイダンス選択キーＡ１〜Ａ１０のいずれかが操作者によって押下されると（Ｓ３でＹＥＳ）、当該押下されたガイダンス選択キーは、当該ガイダンス選択キーに対応付けられた動作の操作方法を案内するガイダンス画面（操作案内画面）を、表示部４１０に表示させる旨の指示を操作者から受け付ける。
【００４７】
表示制御部５２２は、上記ガイダンス選択キーの押下により操作者に選択された動作に対応するガイダンス画面の表示画像データを表示画像データ記憶部５３から読み出し、当該ガイダンス画面を表示部４１０に表示させる（Ｓ４）。ガイダンス画面は、複合機１で動作可能な各機能及びその操作に対応付けて各種用意され、各ガイダンス画面は第１画面から第ｎ画面までの複数画面で構成されている。例えば、図４に示す「頁付」の動作を示すガイダンス選択キーＡ９が操作者により押下されると、当該ガイダンス選択キーＡ９は、「頁付」の動作に対応するガイダンス画面を表示させる旨の指示を受け付ける。表示制御部５２２は、上記ガイダンス画面を表示させる旨の指示があると、当該ガイダンス画面を構成する複数の画面（ガイダンス第１画面からガイダンス第ｎ画面）のうち、最初に第１画面を表示部４１０に表示させ、操作者からの表示画面切替指示に応じて、当該第１画面から第ｎ画面までを順次切り替えて表示部４１０に表示させる。
【００４８】
図５に示すように、ガイダンス第１画面Ｂ，…ガイダンス第ｎ−１画面Ｃ，ガイダンス第ｎ画面Ｄの表示画像データは、当該第１画面Ｂから第ｎ画面Ｄまでの各画面が、各画面の表示領域の一部領域において、当該画面で案内する動作の操作方法（当該動作に対応する表示画面におけるボタン操作方法等）を、絵や図でわかりやすく表示するように構成されている。このため、表示制御部５２２が、第１画面Ｂから第ｎ画面Ｄまでの各画面を表示部４１０に表示させると、表示部４１０に表示される各画面の一部領域Ｂ１，Ｃ２に、各画面で案内する動作の操作方法が図示される。さらに、ガイダンス画面を構成する各画面には、表示画面切替キー４１１として、頁送りキー４１３及び頁戻しキー４１４が表示される。
【００４９】
また、ガイダンス画面をなす第１画面Ｂから第ｎ画面Ｄのうち、動作条件の入力方法（例えば、具体的な数値入力方法）の説明を表示する画面では、その画面の一部領域に、当該動作条件の入力操作方法が絵や図でわかりやすく図示される。例えば、図５に示すように、ガイダンス第ｎ−１画面Ｃ，第ｎ画面Ｄには、当該動作条件の入力操作方法が図示される一部領域である入力案内表示領域Ｃ１，Ｄ１，Ｄ２が表示される。この入力案内表示領域Ｃ１，Ｅ１，又はＥ２に操作者が触れた場合、当該入力案内表示領域Ｃ１，Ｄ１，Ｄ２は、タッチパネル機能により表示画面切替キー４１１として機能し、入力案内表示領域Ｃ１，Ｄ１，又はＤ２で案内している動作条件の入力が可能なそれぞれの動作条件入力画面に表示画面を切り替える画面切替指示を受け付ける。なお、当該ガイダンス第ｎ−１画面Ｃは、動作条件の入力方法（具体的な数値入力方法等）とは異なる操作方法を示す一部領域Ｃ２も表示された例を示している。
【００５０】
例えば、上記ガイダンス第１画面Ｂ等の表示時に、頁送りキー４１３，頁戻しキー４１４又は動作条件入力画面切替キー４１５のいずれかが操作者によって押下されると（Ｓ５でＹＥＳ）、表示制御部５２２は、押下されたキーの如何に応じて、表示部４１０に表示させる表示画面を切り替える（Ｓ６乃至Ｓ９）。
【００５１】
操作者によって頁戻しキー４１４が押下され、この時点で表示部４１０に表示されている画面の前画面を表示させる旨の指示が頁戻しキー４１４に受け付けられると（Ｓ６で「頁戻しキー」）、表示制御部５２２は、当該前画面を表示部４１０に表示させる（Ｓ８）。例えば、表示制御部５２２は、表示部４１０に、ガイダンス第ｎ画面Ｄを表示させているときに、操作者によって頁戻しキー４１４が押下されると、第ｎ−１画面Ｃを表示部４１０に表示させる。また、表示制御部５２２は、表示部４１０に、ガイダンス第１画面Ｂを表示させているときに、操作者によって頁戻しキー４１４が押下されると、ガイダンス選択画面Ａを表示部４１０に表示させる（この場合は、処理はＳ２に戻る）。
【００５２】
また、操作者によって頁送りキー４１３が押下され、この時点で表示部４１０に表示されている画面の次画面を表示させる旨の指示が頁送りキー４１３に受け付けられると（Ｓ６で「頁送りキー」）、表示制御部５２２は、当該次画面を表示部４１０に表示させる（Ｓ７）。例えば、表示制御部５２２は、表示部４１０に、ガイダンス第ｎ−１画面Ｃを表示させているときに、操作者によって頁送りキー４１３が押下されると、第ｎ画面Ｄを表示部４１０に表示させる。
【００５３】
また、入力案内表示領域を有する画面が表示部４１０に表示されているときに、操作者が入力案内表示領域Ｃ１等に触れた場合（すなわち、入力案内表示領域Ｃ１等が動作条件入力画面切替キー４１５として機能し、当該動作条件入力画面切替キー４１５が操作者によって押下された場合）は、この時点で表示部４１０に表示されている当該入力案内表示領域で案内する動作についての動作条件の入力が可能とされた動作条件入力画面への表示画面切替指示が、動作条件入力画面切替キー４１５に受け付けられる。このように、動作条件入力画面切替キー４１５に動作条件入力画面への表示画面切替指示が受け付けられた場合は（Ｓ６で「動作条件入力画面切替キー」）、表示制御部５２２は、当該入力案内表示領域で案内する動作についての動作条件の入力が可能な動作条件入力画面を表示部４１０に表示させる（Ｓ９）。
【００５４】
すなわち、上記動作条件入力画面切替キー４１５は、操作者が入力案内表示領域に触れた時点で表示部４１０に表示されている入力案内表示領域（入力案内表示領域が複数表示されている場合は、操作者によって押下された方の入力案内表示領域）に対応付けられている動作についての動作条件の入力が可能な動作条件入力画面への表示画面切替指示を受け付ける。つまり、操作者が動作条件入力画面切替キー４１５を押下した時に、表示制御部５２２が、当該動作条件入力画面切替キー４１５に対応付けられている動作条件入力画面に表示部４１０の表示画面を遷移させることで、表示制御部５２２は、ガイダンス第１画面Ｂから第ｎ画面Ｄによるガイダンスの進行の程度に応じて、遷移させる動作条件入力画面を異ならせる。これにより、操作者は、表示部４１０の表示画面に、動作条件の入力方法（具体的な数値入力方法等）が図示されている時に、当該図示部分を押下すれば、表示部４１０の表示画面を、当該押下時点で表示中の動作条件の入力が可能な動作条件入力画面に簡単に切り替えることができる。
【００５５】
さらに、表示制御部５２２は、この動作条件入力画面を表示部４１０に表示させるとき、当該動作条件入力画面を表示する一部領域に、それまで表示部４１０に表示させていた画面（ガイダンス第１画面Ｂ乃至第ｎ画面Ｄのいずれかであって、当該動作条件入力画面に対応付けられている遷移前の画面）を縮小して表示させる（Ｓ１０）。
【００５６】
例えば、図５に示すように、ガイダンス第ｎ−１画面Ｃが表示部４１０に表示されており、当該第ｎ−１画面Ｃの入力案内表示領域Ｃ１に操作者が触れた場合、表示制御部５２２は、図５及び図６に示すような動作条件入力画面Ｅ（動作条件入力画面Ｅは入力案内表示領域Ｃ１に対応付けられている）を表示部４１０に表示させ、その表示領域の一部領域Ｅ１に、第ｎ−１画面Ｃを縮小して表示する。
【００５７】
上記動作条件入力画面Ｅへの表示切替後、当該動作条件入力画面Ｅにおいて、その表示領域中に表示される数値入力キーｅ１、頁番号種類選択キーｅ２等を操作者が操作することで動作条件が入力されると（Ｓ１１でＹＥＳ）、動作条件記憶部５５が、当該入力された動作条件を記憶する（Ｓ１４）。
【００５８】
また、動作条件入力画面Ｅの表示中に、表示画面切替キー４１１（ＯＫボタンｅ３，キャンセルボタンｅ４）が操作者によって押下され、元のガイダンス画面に表示画面を切り替える画面切替指示が表示画面切替キー４１１に操作者から受け付けられると、表示制御部５２２は、表示部４１０に、当該動作条件入力画面Ｅが表示される直前に表示部４１０に表示させていた元のガイダンス画面、すなわち第１画面Ｂ乃至第ｎ画面Ｄのいずれかを表示させる（Ｓ１２でＹＥＳ，Ｓ１３）。
【００５９】
例えば、操作者が動作条件入力画面Ｅの数値入力キーｅ１、頁番号種類選択キーｅ２等により頁番号やその表示形態等の動作条件を入力した後、ＯＫボタンｅ３を押下すると、操作者により入力された頁番号の数値及び表示形態等が動作条件記憶部５５に記憶されると共に、表示制御部５２２は、表示部４１０の表示画面を、当該動作条件入力画面Ｅに対応付けられている入力案内表示領域Ｃ１を有するガイダンス第ｎ−１画面Ｃに切り替える。この場合、ＯＫボタンｅ３が表示画面切替キー４１１として機能する。
【００６０】
また、動作条件入力画面Ｅにおいて、キャンセルボタンｅ４が操作者により押下された場合は、動作条件記憶部５５は、操作者により数値入力キーｅ１、頁番号種類選択キーｅ２等の操作で入力された頁番号やその表示形態等の動作条件を記憶せず、表示制御部５２２が、表示部４１０の表示画面を、当該動作条件入力画面Ｅに対応付けられている入力案内表示領域Ｃ１を有するガイダンス第ｎ−１画面Ｃに切り替える。この場合、キャンセルボタンｅ４が表示画面切替キー４１１として機能する。
【００６１】
なお、表示部４１０でのガイダンス第１画面Ｂ乃至第ｎ画面Ｄのいずれかの表示中に、ガイダンスキー４３７又はリセットキー４３８が操作者により押下されると、この状況下ではガイダンスキー４３７又はリセットキー４３８は、ガイダンス画面への切替前に表示部４１０に表示していた表示画面に、表示部４１０の表示画面を切り替える画面切替指示を受け付け（Ｓ１５でＹＥＳ）、表示制御部５２２は、当該切替表示前に表示部４１０に表示していた表示画面、本実施形態では即ち初期画面を表示部４１０に表示させる（Ｓ１６）。
【００６２】
なお、本発明は上記実施の形態の構成に限られず種々の変形が可能である。例えば、上記実施形態では、図３に示すＳ６の処理において、操作者が入力案内表示領域に触れると、当該入力案内表示領域に対応付けられている動作についての動作条件の入力が可能な動作条件入力画面への表示画面切替指示が受け付けられ、入力案内表示領域がタッチパネル機能により動作条件入力画面切替キー４１５として機能するものとされているが、入力案内表示領域とは別個に動作条件入力画面切替キー４１５が設けられた構成であってもよい。但し、この場合、表示制御部５２２は、別個に設けられた動作条件入力画面切替キー４１５が操作者によって押下された時点で表示部４１０に表示されている入力案内表示領域に対応付けられている動作条件入力画面に、表示部４１０の表示画面を切り替える。
【００６３】
なお、上記図１乃至図６に示した実施形態に係る構成及び処理は、本発明に係る表示制御装置及び画像形成装置の構成及び処理の単なる一例に過ぎず、本発明に係る表示制御装置及び画像形成装置の構成及び処理を上記に示した内容に限定するものではない。
【００６４】
また、上記各実施形態では、本発明に係る画像形成装置を複合機１として説明したが、本発明に係る画像形成装置は複合機に限定されず、コピー機、ファクシミリ装置、プリンタ等でも構わない。
【図面の簡単な説明】
【００６５】
【図１】本発明の一実施形態に係る画像形成装置の一例である複合機の構成を示す側面概略図である。
【図２】図１に示す複合機の制御ブロック図である。
【図３】表示部に表示画面を表示する際の処理を示すフローチャートである。
【図４】ガイダンス選択画面の例を示す図である。
【図５】表示部における表示画面の遷移を示す図である。
【図６】動作条件入力画面の一例を示す図である。
【符号の説明】
【００６６】
１        複合機
５１      制御部
５２      ＣＰＵ
５２２    表示制御部
５３      表示画像データ記憶部
５５      動作条件記憶部
４００    操作部
４１０    表示部
４１１    表示画面切替キー
４１２    動作条件入力キー
４１３    頁送りキー
４１４    頁戻しキー
４１５    動作条件入力画面切替キー
４３０    操作キー部
４３７    ガイダンスキー
Ａ        ガイダンス選択画面
Ａ１〜Ａ１０      ガイダンス選択キー
Ｂ        ガイダンス第１画面
Ｂ１      一部領域
Ｃ        ガイダンス第ｎ−１画面
Ｃ１      入力案内表示領域
Ｃ２      一部領域
Ｄ        ガイダンス第ｎ画面
Ｅ        動作条件入力画面
Ｅ１      一部領域
ｅ１      数値入力キー
ｅ２      頁番号種類選択キー
ｅ３      ＯＫボタン
ｅ４      キャンセルボタン
【手続補正３】
【補正対象書類名】図面
【補正対象項目名】図５
【補正方法】変更
【補正の内容】
【図５】
2009037340.tif 000009
【手続補正４】
【補正対象書類名】図面
【補正対象項目名】図６
【補正方法】変更
【補正の内容】
【図６】
2009037340.tif 000010